(57)【特許請求の範囲】
【請求項１】
収容部の底に貫通形成された注入口を有する本体；
前記注入口に結合されて昇下降を通じて前記注入口を開閉し、飲料供給装置のノズルが挿入されるホルダー；および
前記ホルダーの昇降壁体に結合され、前記ホルダーが前記注入口を閉鎖するように、前記本体の底の底面に接触して前記ホルダーを下側方向に弾性支持する複数個の弾性アームを有するロック部材；を含んでから構成され、
前記弾性アームは、前記ロック部材の中空部周りの外辺に沿って本体の一部が切開されて上側に折り曲げ形成されて弾性力が発揮され、
前記ロック部材の本体の一部が切開されて残った空間は、前記ホルダーの上昇時に前記弾性アームが折りたたまれながら収容される収容溝として機能することを特徴とする、飲料容器。
【請求項２】
前記ホルダーは、上部壁体の下部に結合されて前記本体の注入口周りの底に接触されるパッキング部材が備えられていることを特徴とする、請求項１に記載の飲料容器。
【請求項３】
前記本体は、前記注入口周りの底の一部が陥没形成されて前記パッキング部材が挿入されて密着される安置部を含んでから構成されることを特徴とする、請求項２に記載の飲料容器。
【請求項４】
前記ホルダーは、前記注入口を覆うことができる上部壁体と、前記注入口に結合されて前記ノズルが挿入されてホルダーの昇下降を保障する昇降壁体と、前記上部壁体と前記昇降壁体を連結する複数個の連結バンドを含んでから構成され、
前記連結バンドの間の空間が注入部として機能することを特徴とする、請求項１〜請求項３のいずれか一項に記載の飲料容器。
【発明の詳細な説明】
【技術分野】
【０００１】
本発明は底を通じて飲料の注入がなされる飲料容器に関するもので、ビールなどの液状飲料を飲用する時に用いられる飲料容器において、飲料容器の底に具備された注入口を通じて飲料容器収容部の底から飲料が満たされるようにすることによって、飲料を注ぐ時に落差によって泡が過剰発生することを防止するとともに、空気との接触を最小化して飲料の味を最大限維持できるように底を通じて飲料の注入がなされる飲料容器に関するものである。
【背景技術】
【０００２】
飲料（飲料、Ｂｅｖｅｒａｇｅ）は、アルコール性飲料または非アルコール性飲料に区分され、アルコール性飲料にはビール、焼酎などの酒類があり、非アルコール性飲料にはコーラ、サイダーなどの炭酸飲料などがある。
【０００３】
まず、ビールは主に工場で製造されて大量販売される瓶ビールまたは缶ビールがあり、一般のビアホールではビールが樽で貯蔵されて販売場所で飲料容器に入れられて飲用者に供給される生ビールがある。
【０００４】
また、炭酸飲料も瓶飲料または缶飲料があり、ファーストフード店などでは所定の貯蔵樽に炭酸原液が貯蔵された状態で供給され、原液と水を混合して飲料容器に入れられて飲用者に供給される。
【０００５】
このような飲料が収容される容器として、一例として最も普遍化されて用いられるビールコップは透明な材質のガラスまたは合成樹脂製品からなり、一度に比較的多い量をついで飲むことになるため、通常的に５００ｃｃ、１０００ｃｃのビールを入れて飲むことができるビールコップが広く用いられる。
【０００６】
このような従来のビールコップは、下部底が遮断され、上部が開口されて上側開口部を通じて飲料が注入されるように構成される。
【０００７】
特に生ビールは麦汁を発酵、熟成させて濾過だけをし、加熱、殺菌過程を経ていないビールを指し、このような生ビールは生ビール供給装置を通じて提供される。
【０００８】
そして、ビール専門店で用いられる従来の生ビール供給装置は生樽に供給管を連結して、供給管に具備されたバルブを利用して管路を開閉して飲料容器にビールを供給する方式を主に利用する。
【０００９】
ところで、酒類の中でもビールは、アルコール度数が低く、誰でも手軽で気軽に楽しむことができるものであって、飲料供給装置を通じて供給される生ビールは他の飲料に比べてビールを上部の開放された部分を通じてつぐことになるため、注入圧力によって多い量の泡が発生されるところ、ビールコップなどの容器に飲料を注入した後、泡をいちいち除去しなければならないなどの煩雑さがあった。
【００１０】
したがって、既存の生ビール供給装置で飲料容器に生ビールを供給する時、泡が多量発生して流れ落ちて衣服を濡らしてしまうか衛生上よくなく、また過度の泡により生ビールの味が低下する問題点があった。
【００１１】
また、今までのビールコップは、ビールをつぐ時にビールが空気との接触により酸化されて味が落ちてしまう問題点があり、このような現象は生ビールを飲む場合、特に酷くなる。
【００１２】
そこで、前記のような問題点を解消するために、飲料容器の底面に孔を形成して生ビールを供給すれば、生ビールの泡を適切に維持することはできるが、この方法を適用しようとしても生ビールを飲料容器の底孔に注入した後、孔を密封する方法が適切でないため、採択できない問題点があった。
【００１３】
したがって、これを改善できる飲料容器の必要性が台頭している。
【００１４】
前記のような問題点を解決するための従来技術として、大韓民国登録特許第１０−１２４３３８２号（２０１３．０３．０７．）「飲料コップ注入口遮断装置およびその製造方法」（以下従来技術という。）があるが、前記従来技術は、飲料コップの底の内外部に貫通形成され、飲料供給装置のノズルを通じて飲料コップ内部に飲料を供給する注入口と、飲料コップの底外面と底内面にそれぞれ設けられ、飲料供給装置のノズルを通じて飲料が強制注入された後、注入口を密封するように磁力付着される磁力遮断部を含んで構成される。
【００１５】
前記従来技術は注入口が開放された状態で、飲料注入が完了すると磁力を通じて磁力遮断部が注入口を閉鎖させて飲料が外部に漏洩することを防止する。
【００１６】
しかし、前記従来技術は磁力を有する金属材質の磁力遮断部が用いられることによって、飲料が磁力遮断部に接触しやすくなり、このような接触は飲料コップを長期間使用する場合、錆がつくなど、飲料を変質させる危険性が非常に大きく内包されており、人が直接飲用する飲料容器として衛生管理および人体に無害な容器としての実効性が落ちる問題点があった。
【００１７】
特に前記従来技術の場合、前記磁力遮断部が飲料に直接接触されることを防止するための密封技術が要求されるところ、このような製作方式は飲料コップの製作容易性の観点から不合理的であるだけでなく、製造コストが上昇することによって安価の消費材として飲料コップを大衆化させることに限界がある。
【発明の概要】
【発明が解決しようとする課題】
【００１８】
本発明は前記したような問題点を解決するために案出されたもので、ビールなどの飲料をコップなどの飲料容器に注入する時に泡の発生を適当な量に調節して注入することができ、飲料本来の味をできるだけ維持できるように、飲料容器本体の底に形成された注入口を通じて飲料供給装置のノズルから飲料が注入され得るようにした底を通じて飲料の注入がなされる飲料容器を提供することを目的とする。
【００１９】
特に本発明は、底に形成された注入口が飲料注入時にのみ安定的に開放されて飲料注入がなされ、飲料注入後は注入口を完全に密封させて飲料が底の注入口を通じて漏洩するのを遮断できるように、前記注入口に結合されるホルダーおよび前記ホルダーを開閉させるために前記ホルダーが注入口を下降閉鎖させるように弾性支持するロック部材を含んでから構成される底を通じて飲料の注入がなされる飲料容器を提供することを目的とする。
【００２０】
そして、本発明は飲料注入時を除いては、前記ホルダーが注入口を常時的に閉鎖させて飲料の外部漏洩を防止して使用便宜性を高めた、底を通じて飲料の注入がなされる飲料容器を提供することを目的とする。
【００２１】
また、本発明は前記ホルダーと前記注入口周りの底との間の間隙を通じて本体に収容された飲料が外部に漏洩することを完全に遮断できるように、ホルダーの上部壁体にパッキング部材が結合されており、前記パッキング部材が密着する安置部を含んでから構成される、底を通じて飲料の注入がなされる飲料容器を提供することを目的とする。
【００２２】
さらに、本発明は弾性アームの弾性力による注入口の閉鎖作動が安定的になされるとともに、前記ロック部材の弾性アーム製作を容易にし、製造単価を節減できるようにロック部材の本体の一部が切開されながら上側に折り曲げられて弾性アームが形成され、切開後残りの空間は前記弾性アームが折りたたまれながら収容される収容溝として機能する飲料容器を提供することを目的とする。
【課題を解決するための手段】
【００２３】
前記のような目的を達成するために、本発明に係る底を通じて飲料の注入がなされる飲料容器は、収容部の底に貫通形成された注入口を有する本体；前記注入口に結合されて昇下降を通じて前記注入口を開閉し、飲料供給装置のノズルが挿入されるホルダー；および前記ホルダーの昇降壁体に結合され、前記ホルダーが前記注入口を閉鎖するように前記本体の底の底面に接触して前記ホルダーを下側方向に弾性支持する複数個の弾性アームを有するロック部材；を含んでから構成されることを特徴とする。
【００２４】
そして、本発明に係る底を通じて飲料の注入がなされる飲料容器で前記ホルダーは、上部壁体の下部に結合されて前記本体の注入口周りの底に接触されるパッキング部材が備えられていることを特徴とする。
【００２５】
また、本発明に係る底を通じて飲料の注入がなされる飲料容器で前記本体は、前記注入口周りの底の一部が陥没形成されて前記パッキング部材が挿入されて密着される安置部を含んでから構成されることを特徴とする。
【００２６】
さらに、本発明に係る底を通じて飲料の注入がなされる飲料容器で前記弾性アームは、前記ロック部材の中空部周りの外辺に沿って本体の一部が切開されて上側に折り曲げ形成されながら弾性力が発揮され、前記ロック部材の本体の一部が切開されてから残りの空間は前記ホルダーの下降時に前記弾性アームが折りたたまれながら収容される収容溝として機能することを特徴とする。
【発明の効果】
【００２７】
本発明に係る底を通じて飲料の注入がなされる飲料容器は，底に形成された注入口に飲料供給装置のノズルが結合されて飲料注入が底からなされるため、ビールなどの飲料をつぐ時に発生する泡の量を適切に維持することができ、飲料をつぐときの、飲料が空気と接触して酸化されることを防止し、飲料本来の味を最大限維持して最上の飲料を提供することができる。
【００２８】
特に本発明に係る底を通じて飲料の注入がなされる飲料容器は、注入口に結合されたホルダーの開閉作動が、飲料容器本体を飲料供給装置のノズルに着脱させる時に別途作動を必要とすることなく自動的になされるようにするホルダーおよびロック部材を導入することによって、使用が便利で、特にホルダーの開閉のための別途の構成（例えば磁石）などを必要としないため、飲料が人体に有害な他の部品に露出、接触されることがなく、人体に無害で、独特な方式の飲料注入を通じてビール専門店などでこれを活用してマーケティングなどに用いることができ、さらに、このような飲料容器の製作が容易であり、安価で供給することができるため、独特の方式の飲料注入がなされる飲料容器を大衆化させることに非常に有用な発明である。
【００２９】
また、本発明に係る底を通じて飲料の注入がなされる飲料容器は、製作および組立などの生産性を高めながらも注入口を完全に遮蔽させることによって、飲料容器を長期間使用しても飲料が底の注入口を通じて外部に漏洩することを安定的に防止することができ、特に本発明に係る底を通じて飲料の注入がなされる飲料容器は、前記ホルダーが簡素化された構造を有するロック部材を通じて注入口の閉鎖状態が維持されるため、ホルダーなどの破損、損傷を最小化することができ、長期間の使用に適合した利点がある。
【００３０】
さらに、本発明に係る底を通じて飲料の注入がなされる飲料容器は、ホルダーの上部壁体にパッキング部材が具備されることによって、ホルダーが注入口を閉鎖した状態でパッキング部材がホルダーと底との間の間隙を密封するため、本体内部の飲料が外部に漏洩することを基本的に遮断することができる。
【００３１】
また、本発明に係る底を通じて飲料の注入がなされる飲料容器は、ロック部材本体の一部を切開して上向き折り曲げて弾性アームを形成し、切開された部分が弾性アームが折りたたまれながら収容される収容溝として機能するため、ホルダーの自動復帰のためのスプリングなどの弾性部材を追加するための別途構成または構造などが不要であり、製作が容易で、製造コストを節減することができる。
【図面の簡単な説明】
【００３２】
【図１】本発明に係る飲料容器の各構成の斜視図。
【図２ａ】本発明に係る飲料容器の結合状態を図示した断面図。
【図２ｂ】本発明に係る飲料容器の結合状態を図示した断面図。
【図３】本発明に係る飲料容器の主要部の分解断面図。
【図４】本発明に係る飲料容器の主要部の分解断面図。
【図５】本発明に係る飲料容器の主要部の分解断面図。
【発明を実施するための形態】
【００３３】
本発明は多様な変更を加えることができ、多様な形態を有することができるところ、具現例（態様、ａｓｐｅｃｔ）（または実施例）を本文に詳細に説明する。しかし、これは本発明を特定の開示形態に対して限定しようとするものではなく、本発明の思想および技術範囲に含まれるすべての変更、均等物ないし代替物を含むものとして理解されるべきである。
【００３４】
各図面において、同じ参照符号、特に十および一の桁、または十および一の桁およびアルファベットが同じ参照符号は同一または類似の機能を有する部材を表わし、特に言及しない場合、図面の各参照符号が指し示す部材はこのような基準に準ずる部材と把握してよい。
【００３５】
また各図面において、構成要素は理解の便宜上、大きさや厚さを誇張して大きくしたり（または厚く）、小さく（または薄く）表現したり、単純化して表現しているが、本発明の保護範囲はこれに制限されるものではない。
【００３６】
本明細書で用いられる用語は、単に特定の具現例（態様、ａｓｐｅｃｔ）（または実施例）を説明するために用いられたもので、本発明を限定しようとする意図ではない。単数の表現は文脈上明白に異なることを意味しない限り、複数の表現を含む。
【００３７】
本出願において、「〜含む〜」または「〜なされる〜」などの用語は、明細書上に記載された特徴、数字、段階、動作、構成要素、部分品またはこれらを組み合わせたものが存在することを指定しようとするものであり、一つまたはそれ以上の他の特徴や数字、段階、動作、構成要素、部分品またはこれらを組み合わせたものなどの存在または付加可能性をあらかじめ排除しないものとして理解されるべきである。
【００３８】
特に定義しない限り、技術的であるか科学的な用語を含めて、ここで用いられるすべての用語は本発明が属する技術分野で通常の知識を有した者によって一般的に理解されるものと同じ意味を有している。一般的に用いられる、辞書に定義されているような用語は関連技術の文脈上に有する意味と一致する意味を有するとして解釈されるべきであり、本出願で明白に定義しない限り、理想的であるか過度に形式的な意味として解釈されない。
【００３９】
本明細書で記載した、「〜第１〜」、「〜第２〜」などは、互いに異なる構成要素であることを区分するために指し示しただけであり、製造された順序にかかわらず、発明の詳細な説明と特許請求の範囲でその名称が一致しないこともある。
【００４０】
本発明に係る飲料容器を説明するにおいて、便宜のために、厳密でない概略の方向基準を図２ａを参照して特定すると、重力が作用する方向を下側にして、見える通りの方向で上下左右を定める。
【００４１】
特に図２ａにおいて、注入口１３の中央方向を内側にし、その反対方向を外側にして内外を定め、他の図面と関連された発明の詳細な説明および特許請求の範囲においても、特に断らない限り、この基準により方向を特定して記述する。
【００４２】
以下、本発明に係る底を通じて飲料の注入がなされる飲料容器を添付された図面を参照して説明する。
【００４３】
まず、図１〜図５に図示された通り、本発明に係る飲料容器は、大きく、飲料が注入されて収容される収容部１０Ａを有して収容部の底１２に注入口１３が形成された本体１０と、前記本体１０の注入口１３に結合されて注入口１３を開閉するホルダー２０および前記ホルダー２０を下降させて注入口１３が閉鎖されるように維持させるロック部材２８を含んでから構成される。
【００４４】
図１、図２ａおよび図２ｂに図示された通り、前記本体１０は一般的なコップ、杯の形態であって、外壁１１で囲まれた収容部１０Ａを有し、収容部１０Ａの上部が開口されており、収容部１０Ａの底１２の中央に注入口１３が貫通形成されている。
【００４５】
図面に図示された本体１０は、最も一般的な杯（コップ）形態を代表して図示しているが、これに限定されず、くちばしが広くて外壁１１の一側に取っ手（図示されず）が具備されたジョッキのようなビールコップまたは大容量の飲料が満たされるピッチャー（ｐｉｔｃｈｅｒ；図示されず）などに変形され得る。
【００４６】
本発明の本体１０は、底１２の周りの外辺に沿って支持壁体１４が形成されて飲料容器を一般のテーブルや飲料供給装置のノズル部に安定的に立てることができるようにすることが好ましい。
【００４７】
前記本体１０はガラスまたはプラスチックなどの合成樹脂材質で製作され、透明または不透明材質で構成され得るが、透明材質で製作された方がより好ましい。
【００４８】
図２〜図５に図示された通り、前記注入口１３に結合されるホルダー２０は、前記注入口１３を覆うことができる上部壁体２１と、前記注入口１３に結合されて飲料供給装置（図示されず）のノズル３０が挿入されてホルダー２０の昇下降を保障する昇降壁体２２と、前記上部壁体２１と前記昇降壁体２２を連結する連結バンド２３を含んでから構成される。
【００４９】
前記連結バンド２３は、前記上部壁体２１と前記昇降壁体２２を連結するように離隔、配列された複数個の連結バンド２３で構成され、前記連結バンド２３の間には注入部２４が形成されてノズル３０を通じて飲料が本体１０の収容部１０Ａに注入されるようにする。
【００５０】
前記ホルダー２０は、プラスチックなどの合成樹脂材質で射出成形されて飲料との接触による変質を予防し、後述するパッキング部材２６とともに二重射出成形方式で製作することも可能である。
【００５１】
前記ホルダー２０は、前記昇降壁体２２が前記注入口１３に結合されて前記飲料供給装置のノズル３０に前記本体１０の注入口１３を結合または分離させる時にホルダー２０が昇下降されながら注入口１３を開閉させる。
【００５２】
すなわち、本体１０をノズル３０に締結した状態では、ノズル３０が前記ホルダー２０を上昇させて注入口１３が開放されながら注入部２４が収容部１０Ａと連通されることによって、ノズル３０から排出される飲料が注入部２４を通じて収容部１０Ａの下部すなわち、本体１０の底１２から上側に向かって満たされ、本体１０をノズル３０から分離した状態では、ロック部材２８が前記ホルダー２０を下降させて注入口１３が閉鎖された状態が維持されることによって、収容部１０Ａ内の飲料が下部に漏洩することを防止する。
【００５３】
このとき、前記ノズル３０のボディー３１上部は、後述するＯリング３３によって前記上部壁体２１とボディー３１の上側端部と間に水密性を有するようになるので、ノズル３０から飲料の噴射がなされる排出部３１Ａはボディー３１の外周面に沿って形成されて内部で飲料が移送される供給管部（図示されず）と連通する構造を有するようになる。
【００５４】
また、図２ｂおよび図３に図示された通り、前記ホルダー２０の上部壁体２１下部には外側に突出された支持突出部２１ａが具備されて支持突出部２１ａと上部壁体２１の間に締結溝２１ｂが形成され、前記締結溝２１ｂにパッキング部材２６が締り嵌め方式で結合（ホルダー２０とともに二重射出方式で製作されることもある。）されることによって、ホルダー２０が下降して注入口１３を閉鎖する場合、前記パッキング部材２６が前記注入口１３の周りの安置部１２ａの表面に接触されて水密性が保障されるようにする。
【００５５】
次に、図３および図４に図示された通り、前記ロック部材２８は前記ホルダー２０の昇降壁体２２に結合され、前記本体１０の底１２の底面に接触して前記ホルダー２０が下降閉鎖されるように弾性支持する複数個の弾性アーム２９が備えられている。
【００５６】
前記ロック部材２８は前記ホルダー２０の外周面に沿って具備されている結合溝２２ａに結合されるリング状の本体を有する部材であって、ロック部材２８の本体中央には前記ホルダーの昇降壁体２２が通過することができる中空部が貫通形成されており、前記中空部の周りの外辺に沿って本体の一部が切開されて上側に折り曲げ形成されながら弾性アーム２９が垂直方向に弾性力が発揮されてホルダー２０が本体１０の注入口１３に結合された状態で前記弾性アーム２９の終端部が本体１０の底１２の底面に接触され、前記弾性アーム２９の形成によって前記ロック部材２８の本体の一部が切開されて残った空間は弾性アームが折りたたまれながら収容される収容溝２９ａとして機能することになる。
【００５７】
したがって、図２〜図４に図示された通り、［前記ホルダー２０と前記ロック部材２８の結合体］が本体１０の注入口１３に結合され、前記本体１０が前記飲料注入装置から分離された状態では前記弾性アーム２９の弾性力によって前記ロック部材２８が前記ホルダー２０を下側に加圧して前記ホルダー２０の下降閉鎖状態が維持され、前記本体１０が前記飲料注入装置に結合された状態では前記ノズル３０の加圧によって［前記ホルダー２０と前記ロック部材２８の結合体］が上昇されることによって、前記弾性アーム２９が折りたたまれながら本体の収容溝２９ａに挿入されてホルダー２０の上昇開放状態が維持される。
【００５８】
この場合、［前記ホルダー２０と前記ロック部材２８の結合体］が上昇すると、前記ロック部材２８の弾性アーム２９が前記本体１０の底１２の底面に接触しながら下側に折りたたまれてロック部材２８の本体が底１２の底面に接触されるため、前記ホルダー２０が収容部１０Ａから分離されることが防止され、［前記ホルダー２０と前記ロック部材２８の結合体］が下降すると、前記ホルダー２０の上部壁体２１に結合されたパッキング部材２６が前記本体１０の底１２の表面（安置部（１２ａ；図２ｂの下部の円の中の拡大断面図参照。））に接触されるため、ホルダー２０が注入口１３から離脱して本体１０と分離されることが防止される。
【００５９】
このとき、前記パッキング部材２６が接触される安置部１２ａは、本体１０の注入口１３周りの底１２の一部が下側に陥没形成され、パッキング部材２６が安置部１２ａに密着されて底１２との間で発生する間隙を完全に密閉させるため、飲料の外部流出が防止される。
【００６０】
特に本発明は、前記弾性アーム２９がロック部材２８の本体の一部が切開されながら上側に折り曲げ形成されて固定されることにより、弾性アームの弾性力が垂直方向に作用されることになり、これによって、弾性アーム２９が折りたたまれる時に弾性アームが折り曲げられながら形成された収容溝２９ａを通過して収容される方式で製作されるため、スプリングなどの別途の弾性部材を追加するための別途構成または構造などが不要となり、製作が非常に容易で、製造コストを節減することができる。
【００６１】
そして、前記ノズル３０のボディー３１の上側端部には、第２装着溝３１ｂが具備され、前記第２装着溝３１ｂにＯリング３３が結合されて前記ホルダー２０の上部壁体２１の底面との接触による衝撃を解消することができる。
【００６２】
また、本発明は前記ノズル３０の排出部３１Ａがボディー３１の外周面に沿って形成されて飲料が放射状に噴射、排出される形態であるため、ボディー３１の上側端部を通じて上向きに飲料が噴射される場合とは異なり、噴射圧力によってホルダー２０が注入口１３から上側に離脱、分離されることを防止することができ、特に、前記Ｏリング３３を通じて注入される飲料が上部壁体２１とボディー３１が接する面の間に流入されることを防止して、飲料の注入圧力によってホルダー２０が注入口１３から離脱、分離されることを完全に遮断することができる。
【００６３】
以上のように、本発明は、従来飲料供給装置と本発明の飲料容器が底の下部から飲料が注入されるので、前記ノズル３０が具備された飲料供給装置の飲料貯蔵樽、ノズルの連結構造などは、従来飲料供給装置とは異なってノズルだけが上側に向かって逆立ちされた形態で備えられていることだけが異なるだけで、それ以外は大同小異であり、したがって、飲料供給装置の具体構成は本発明の本質的な核心と関連性が少ないため、説明の便宜のために本明細書での詳細な説明は省略する。
【００６４】
また、以上で本発明を説明するにおいて、添付された図面を参照して特定の形状と構造を有する底を通じて飲料の注入がなされる飲料容器を中心に説明したが、本発明は当業者によって多様な修正、変更および置換が可能であり、このような修正、変更および置換は本発明の保護範囲に属するものと解釈されるべきである。
【符号の説明】
【００６５】
１０：本体
１０Ａ：収容部
１１：外壁
１２：底
１３：注入口
１４：支持壁体
２０：ホルダー
２１：上部壁体
２２：昇降壁体
２３：連結バンド
２４：注入部
２６：パッキング部材
２８：ロック部材
２９：弾性アーム
３０：ノズル
３１：ボディー
３３：Ｏリング
【図１】
0006360999.tif 000002
【図２ａ】
0006360999.tif 000003
【図２ｂ】
0006360999.tif 000004
【図３】
0006360999.tif 000005
【図４】
0006360999.tif 000006
【図５】
0006360999.tif 000007